(57)【特許請求の範囲】
【請求項１】
撮像手段により撮像される映像信号と共に記録される音声信号に対してフィルタにより帯域制限を施しアナログデジタル変換して記録する信号処理装置において、
前記撮像手段により撮像された映像信号の水平ラインの周期を設定する設定手段と、
前記撮像手段による撮像に伴う音声記録を行う際において、前記設定手段により、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に水平駆動周波数を変更し、各々の水平駆動周波数の差が前記フィルタ特性のカットオフ周波数よりも低くなるよう制御する制御手段と、を備えることを特徴とする信号処理装置。
【請求項２】
撮像手段により撮像される映像信号と共に記録される音声信号に対してフィルタにより帯域制限を施しアナログデジタル変換して記録する信号処理装置において、
前記撮像手段により撮像された映像信号の水平ラインの周期を設定する設定手段と、
前記撮像手段による撮像に伴う音声記録を行う際において、前記設定手段により、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に水平駆動周波数を変更し、各々の水平駆動周波数の差が前記フィルタ特性のカットオフ周波数よりも高くなるよう制御する制御手段と、を備えることを特徴とする信号処理装置。
【請求項３】
撮像手段により撮像される映像信号と共に記録される音声信号に対してフィルタにより帯域制限を施しアナログデジタル変換して記録する信号処理装置において、
前記撮像手段により撮像された映像信号の水平ラインの周期を設定する設定手段と、
前記撮像手段による撮像に伴う音声記録を行う際において、前記設定手段により、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に変更する水平駆動周波数を前記フィルタ特性のカットオフ周波数よりも低い周波数に設定する制御手段と、を備えることを特徴とする信号処理装置。
【請求項４】
撮像手段により撮像される映像信号と共に記録される音声信号に対してフィルタにより帯域制限を施しアナログデジタル変換して記録する信号処理装置において、
前記撮像手段により撮像された映像信号の水平ラインの周期を設定する設定手段と、
前記撮像手段による撮像に伴う音声記録を行う際において、前記設定手段により、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に変更する水平駆動周波数を前記フィルタ特性のカットオフ周波数よりも高い周波数に設定する制御手段と、を備えることを特徴とする信号処理装置。
【請求項５】
前記フィルタは、低域阻止フィルタとして構成されることを特徴とする請求項１、３のいずれかに記載の信号処理装置。
【請求項６】
前記フィルタは、高域阻止フィルタとして構成されることを特徴とする請求項２、４のいずれかに記載の信号処理装置。
【請求項７】
前記設定手段は、前記撮像手段を構成するＣＣＤ型撮像素子における水平ラインの有効画素期間以外の期間の長さを調整することで水平ライン周期を変更することを特徴とする請求項１乃至４のいずれかに記載の信号処理装置。
【請求項８】
前記設定手段は、前記撮像手段を構成するＣＣＤ型撮像素子における水平ラインのブランキング期間の長さを調整することで水平ライン周期を変更することを特徴とする請求項１乃至４のいずれかに記載の信号処理装置。
【請求項９】
前記設定手段は、前記撮像手段を構成するＣＣＤ型撮像素子における水平ラインの空転送期間の長さを調整することで水平ライン周期を変更することを特徴とする請求項１乃至４のいずれかに記載の信号処理装置。
【請求項１０】
前記請求項１乃至９の何れかに記載の信号処理装置を備えると共に、音声が付加された動画の記録が可能であることを特徴とする撮像装置。
【請求項１１】
撮像手段により撮像される映像信号と共に記録される音声信号に対して低域阻止フィルタにより帯域制限を施しアナログデジタル変換して記録する信号処理装置の制御方法において、
前記撮像手段により撮像された映像信号の水平ラインの周期を設定する設定ステップと、
前記撮像手段による撮像に伴う音声記録を行う際において、前記設定ステップにより、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に水平駆動周波数を変更し、各々の水平駆動周波数の差が前記低域阻止フィルタ特性のカットオフ周波数よりも低くなるよう制御する制御ステップと、を有することを特徴とする制御方法。
【請求項１２】
撮像手段により撮像される映像信号と共に記録される音声信号に対して高域阻止フィルタにより帯域制限を施しアナログデジタル変換して記録する信号処理装置の制御方法において、
前記撮像手段により撮像された映像信号の水平ラインの周期を設定する設定ステップと、
前記撮像手段による撮像に伴う音声記録を行う際において、前記設定ステップにより、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に水平駆動周波数を変更し、各々の水平駆動周波数の差が前記高域阻止フィルタ特性のカットオフ周波数よりも高くなるよう制御する制御ステップと、を有することを特徴とする制御方法。
【請求項１３】
撮像手段により撮像される映像信号と共に記録される音声信号に対して低域阻止フィルタにより帯域制限を施しアナログデジタル変換して記録する信号処理装置の制御方法において、
前記撮像手段により撮像された映像信号の水平ラインの周期を設定する設定ステップと、
前記撮像手段による撮像に伴う音声記録を行う際において、前記設定ステップにより、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に変更する水平駆動周波数を前記低域阻止フィルタ特性のカットオフ周波数よりも低い周波数に設定する制御ステップと、を有することを特徴とする制御方法。
【請求項１４】
撮像手段により撮像される映像信号と共に記録される音声信号に対して高域阻止フィルタにより帯域制限を施しアナログデジタル変換して記録する信号処理装置の制御方法において、
前記撮像手段により撮像された映像信号の水平ラインの周期を設定する設定ステップと、
前記撮像手段による撮像に伴う音声記録を行う際において、前記設定ステップにより、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に変更する水平駆動周波数を前記高域阻止フィルタ特性のカットオフ周波数よりも高い周波数に設定する制御ステップと、を有することを特徴とする制御方法。
【発明の詳細な説明】
【技術分野】
【０００１】
本発明は、音声付き動画を記録する際の音声記録時におけるノイズを低減する場合に好適な信号処理装置、撮像装置、及び制御方法に関する。
【背景技術】
【０００２】
近年、ＣＣＤ等の固体撮像素子（以下撮像素子）で撮像した画像を記録媒体（固体メモリ素子を有するメモリカード等）に対し記録及び再生を行う撮像装置（デジタルカメラ）が盛んに開発され、広範に普及してきている。デジタルカメラの普及の背景としては、デジタルカメラから撮影画像を取り込んで処理できるパーソナルコンピュータ（ＰＣ）の普及と、インターネット等を利用したデジタル画像情報に対する需要が高まったことなどが挙げられる。
【０００３】
また、デジタルカメラでは次のような傾向が進展している。即ち、デジタルカメラに搭載される撮像素子の高画素化、記録媒体となるメモリカードの大容量化、デジタルカメラの中枢で画像のデジタル信号処理を担うＩＣ（集積回路）の高密度化及び高速化が進展している。
【０００４】
最近では、デジタルカメラには次のような機種が登場している。即ち、増大した静止画サイズと高速連写機能を有し数コマの静止画を動画のように記録できる機種や、静止画サイズよりは小さいサイズながらテレビ受像機さながらのフレームレート（秒６０コマ）で動画の記録／再生ができる機種などである。
【０００５】
更に、これまでの静止画の高精細化に加えて動画機能を付加したデジタルカメラも市販され始め、いっそう市場のニーズを喚起している。また、その一方で、民生用デジタルビデオカメラにおいても、民生用デジタルフォーマット規格によってデジタル記録による映像が非常に身近なものとなっている。これに伴い、従来の動画撮影だけではなく動画撮影と静止画撮影を併用できるものが市販され始めている。画像記録方式としては、動画用の記録媒体に動画と一緒に静止画を記録しておく方式や、動画とは独立の記録媒体に動画とは独立に静止画を記録する方式などがある。
【０００６】
他方、静止画記録を機能の中心とするデジタルカメラ（デジタルスチルカメラ）と、動画記録を機能の中心とするデジタルビデオカメラとが、それぞれ静止画記録と動画記録の併用を機能として実現し始めている。
【０００７】
また、デジタルカメラにおける静止画や動画の撮影に関わる解像度や動作速度は、高画質化や高精細化等に対する市場のニーズと相まって年々増加している。解像度や動作速度の向上に伴い、デジタルカメラに搭載される撮像素子に関わる技術においても高速化が急速に進んでいる。即ち、撮像素子を駆動するための駆動信号の高速化や、アナログ信号処理回路及びＡＤ変換器を含む後段の全てのデジタル信号処理回路に関わる駆動周波数の高速化が急速に進んでいる。
【０００８】
また、最近では、デジタルカメラにおいては高画質や高精細といった画質の向上に加えて、様々な撮影シーンで失敗の少ない撮影を可能とする性能（手軽さ）がより一層要求されるようになってきている。これに伴い、動きの速い被写体の撮影（例えばスポーツシーンの撮影）における被写体への追従や、低照明下の撮影（例えば室内撮影）における手ぶれ防止を目的としたシャッタ秒時の高速化が進んでいる。
【０００９】
また、デジタルカメラにおいては、美術館や水族館といったストロボ撮影が禁止されている区域での高感度撮影等を可能とするために、静止画や動画の撮影に関わる高感度化も更に進展している。
【００１０】
上述した撮像装置（デジタルカメラ、デジタルビデオカメラ）に装備される電源回路としてはＤＣ−ＤＣコンバータが使用され、ＤＣ−ＤＣコンバータ内には一般的に積層セラミックコンデンサが実装されている。この種の技術分野に関しては各種技術が提案されている（例えば、特許文献１、特許文献２参照）。
【００１１】
上記特許文献２記載の技術では、誘電率の高いセラミックから構成される強誘電体セラミックが有する圧電特性により電歪現象が引き起こされ、電歪現象が回路基板に伝わり共振により音を発生させる問題点が指摘されている。即ち、ＤＣ−ＤＣコンバータに実装されるセラミックコンデンサ等の電子部品には、電歪現象が原理的に存在している。
【００１２】
他方、ＤＣ−ＤＣコンバータに対するセラミックコンデンサの実装方法を工夫することで電歪現象（圧電現象）に伴う発生音を低減する技術が提案されている（例えば、特許文献３、非特許文献１参照）。しかし、部品単体で発生音を低減する対策は、コスト高となると共に部品を自由に選択できないという問題がある。また、部品の実装方法の工夫による発生音低減対策は、実装上の制限が発生し、回路基板におけるレイアウトの自由度がなくなる等の問題がある。
【００１３】
次に、従来例に係る撮像装置（デジタルカメラ）の具体例と問題点について図１１乃至図１６を参照しながら説明する。
【００１４】
図１１は、従来例に係る撮像装置の撮像部の概略構成を示すブロック図である。
【００１５】
図１１において、アナログ信号処理領域２０００内のＣＣＤ（撮像素子）２００１は、被写体像を光電変換し撮像信号を出力する。撮像回路２００２は、撮像信号を処理する。Ａ／Ｄ変換器２００３は、撮像信号をＡ／Ｄ変換する。デジタル信号処理回路２００４は、記録媒体に対する撮像信号の記録や液晶モニタに対する画像表示を行う。システム制御部２００９は、撮像装置（デジタルカメラ）全体の動作を制御するためのＣＰＵを有する。
【００１６】
発振回路２００５は、タイミング発生器５０６の動作クロックを供給する。発振回路２００８は、システム制御部２００９の動作クロックを供給する。タイミング発生器２００６は、同期信号発生器２００７から供給された水平同期信号（ＨＤ）及び垂直同期信号（ＶＤ）に同期して、ＣＣＤ２００１の駆動パルスをＶドライバ（不図示）に供給する。Ｖドライバは、電圧変換されたパルスをＣＣＤ２００１に供給する。
【００１７】
また、タイミング発生器２００６は、撮像回路２００２、Ａ／Ｄ変換器２００３、デジタル信号処理部２００４にそれぞれサンプリングクロック信号を供給し、また、同期信号発生器２００７に動作クロック（ＴＧＣＬＫ）を供給する。同期信号発生器２００７は、タイミング発生器２００６からの動作クロックを所定数だけ計数して水平同期信号（ＨＤ）及び垂直同期信号（ＶＤ）を生成し、タイミング発生器２００６に供給する。システム制御部２００９は、同期信号発生器２００７に水平同期信号（ＨＤ）及び垂直同期信号（ＶＤ）の発生の有無や周期設定等を行うと共に、デジタル信号処理部２００４の動作を制御する。
【００１８】
図１２は、撮像部の撮像回路２００２の詳細構成を示すブロック図である。
【００１９】
図１２において、撮像回路２００２は、ＣＤＳ（相関２重サンプリング）回路２００２ａ、増幅器２００２ｂ、クランプ回路２００２ｃから構成される。通常、上記ＣＣＤ２００１の後段には、ＣＣＤ２００１の電荷転送時に生じたリセットノイズ成分を除去するためのＣＤＳ回路２００２ａを設けている。ＣＤＳ回路２００２ａは、ＣＣＤ２００１の出力信号のうちフィードスルー部のレベルと撮像信号部との差分を求め、これにより１画素周期の相関ノイズ成分を撮像信号から除去する。
【００２０】
増幅器２００２ｂは、ＣＤＳ回路２００２ａを介して出力された撮像信号を、後段のＡ／Ｄ変換器２００３の入力レンジに合わせて所定の信号レベルに増幅し、クランプ回路２００２ｃに供給する。クランプ回路２００２ｃは、ＣＣＤ２００１の遮光された画素（ＯＢ）期間が所定の黒基準値となるように直流電圧レベルの調整を行う。
【００２１】
図１３は、撮像部の主要な信号を示すタイミング図である。
【００２２】
図１３において、ＣＣＤ２００１出力の画素毎の動作周波数は、タイミング発生器２００６により生成されたＣＣＤ駆動信号により決まり、例えば３０〜４０MHｚである。
【００２３】
タイミング発生器２００６は、ＣＣＤの画素ブロックを構成する水平ラインの電荷転送用（以下水平ＣＣＤ転送用）の駆動パルスＨ１、Ｈ２やリセットゲート信号ＲＧを出力し、ＣＣＤ２００１から撮像信号を出力させる。ここで、Ｈ１、Ｈ２は、ＣＣＤ駆動信号の周波数に等しく、３０〜４０MHｚという高速クロックで駆動される。また、ＣＣＤ２００１の水平転送路は容量負荷が大きいため、Ｈ１、Ｈ２を出力するタイミング発生器２００６の電源には１００mA程度の電流負荷が発生する。
【００２４】
ＣＣＤ２００１の場合、１水平ラインの周期を構成する画素クロック数の大まかな内訳は図１４に示す通りである。即ち、水平ＣＣＤ転送用の駆動パルスＨ１、Ｈ２が停止しているブランキング期間と、駆動されている画素読み出しの期間（ＯＢ（光学的に遮光された）期間＋有効画素期間）である。
【００２５】
タイミング発生器２００６の電源には、上記Ｈ１、Ｈ２が出力されている期間は１００mA程度の電流負荷が発生する。Ｈ１、Ｈ２が停止しているブランキング期間は電流負荷がゼロとなり、１水平ライン周期での大きな負荷変動が発生する。また、水平ブランキング期間には通常、電荷の垂直転送が行われるため、ＶドライバからＣＣＤの画素ブロックを構成する垂直ライン（以下垂直ＣＣＤ）に転送パルスが供給される。その間、数十mAの電流負荷が発生する。
【００２６】
上記Ｈ１、Ｈ２が出力されるとき及び垂直転送パルスが出力されるときに発生する電流負荷の変動が原因で、電源供給回路に接続されるコンデンサやインダクタが振動する。これに伴い、部品が実装されている回路基板にその振動が伝わることで、電流負荷変動の周波数に一致した音が発生する。
【００２７】
撮像装置（デジタルカメラ）で動画記録を行う場合、音声記録も同時に行われるため、部品の振動で発生した音（ノイズ）が録音されるという課題がある。従来の音対策としては負荷変動に対して形状歪みの少ない部品を使用してきたが、形状歪みの少ない部品は高価であるため、安価な部品でも音対策が可能な手法が要望されている。
【００２８】
次に、上述した従来の課題を鑑み、従来の動作条件でコンデンサ等の部品が発音する具体的について説明する。
【００２９】
図１５は、撮像装置と電源供給系を示すブロック図である。
【００３０】
図１５において、ＤＣ−ＤＣコンバータ３００３は、電池等の電源３００１の電圧を撮像装置３００８に適する電圧に変換する。充電電流３００６は、電源３００１から図示の経路を流れる。インダクタ３００２は、電流を蓄積し後段に電力を送出する。スイッチ３００４は、ＤＣ−ＤＣコンバータ３００３により制御される。コンデンサ３００５は、電圧変換された電圧を蓄積し平滑する。コンデンサ３００５から電流３００７が撮像装置３００８に供給される。消費電流パターン３００７?１は、撮像装置３００８の駆動により決定される。
【００３１】
撮像装置３００８の消費電流が増加した場合、ＤＣ−ＤＣコンバータ３００３は、出力電圧を監視し予め定められた電圧を一定に保つように常時制御する。また、撮像装置３００８で電流を消費した場合、電圧低下が発生しその電圧低下を補い一定電圧に保つように制御する。撮像装置３００８の負荷変動によりコンデンサ３００５に印加される電圧が変化する。セラミックコンデンサの場合は膨張収縮を繰り返すため、その物理的な変位が回路基板に伝達される結果、振動した回路基板の振動周波数が可聴周波数（５０Hz〜２０ＫＨｚ程度）の場合、音声として聞こえるノイズとなる。
【００３２】
次に、撮像装置における音声記録時の動作について図１６に基づいて説明する。
【００３３】
図１６は、音声記録時の周波数特性を示す図である。
【００３４】
図１６において、縦軸は音圧［ｄＢ］を示し、横軸は周波数［Ｈｚ］を示す。上記コンデンサ３００５の電歪現象に伴い、回路基板には主に消費電流パターン３００７?１による振動が励起される。４００１は、音声を録音する時の周波数を示す音声録音帯域である。４００２は、音声をＡ／Ｄ変換する際のナイキスト周波数である。４００３は、音声を録音する際のサンプリング周波数である。４００４は、消費電流パターンにより回路基板が振動し発生する音声ノイズの周波数である。
【００３５】
消費電流パターン３００７?１の負荷が増える周期によりコンデンサ３００５の電圧が変化し、電歪現象が撮像装置３００８の水平駆動周波数により発生するため、音声ノイズ周波数４００４は撮像装置３００８の水平駆動周波数となっている。例えば、撮像装置３００８の水平駆動周波数を３ＫＨｚ、サンプリング周波数４００４を１０ＫＨｚとした場合、サンプリングのナイキスト周波数は５ＫＨｚとなる。つまり、理論的には５ＫＨｚまでの音声周波数を録音可能になる。水平駆動周波数が３ＫＨｚであった場合、音声ノイズ周波数も３ＫＨｚとなり音声ノイズとして記録されることになる。
【００３６】
上記のようにＤＣ−ＤＣコンバータ内に実装するコンデンサがセラミックコンデンサの場合は、電歪現象が起こりやすいため、タンタルコンデンサや高分子コンデンサ等に変更することで音声ノイズを低減することになる。また、音声ノイズ周波数を可聴帯域から外すべく、撮像装置３００８の水平駆動周波数を十分に高い周波数（例えば２０ＫＨｚ以上）にシフトすることが考えられる。しかし、撮像装置の水平駆動周波数は使用デバイスにより予め定められているため、自由に周波数を高くすることはできない。
【特許文献１】特開２００５−１０９１５１号公報
【特許文献２】特開平０８−１１５８４３号公報
【特許文献３】特開２００３−３２４０３０号公報
【非特許文献１】「村田製作所  記事“鳴かないチップ積層セラミックコンデンサ：GJ４シリーズについて”」
【発明の開示】
【発明が解決しようとする課題】
【００３７】
上記で詳細に説明したように、従来の撮像装置（デジタルカメラ、デジタルビデオカメラ）には次のような問題がある。即ち、撮像装置の電源回路として用いるＤＣ−ＤＣコンバータ内に実装されるセラミックコンデンサに起因した電歪現象が回路基板に伝わり、共振により音を発生させる。また、セラミックコンデンサの実装方法を工夫して電歪現象に伴う発生音を低減する方法は、実装上の制限が発生する。また、セラミックコンデンサをタンタルコンデンサや高分子コンデンサに変更する方法も、上述した問題がある。
【００３８】
従って、上記のように電子部品に起因した電歪現象に伴い音が発生すると（電子部品の鳴き現象）、撮像装置の動画記録中における音声記録時において音声にノイズが混入するという問題がある。そのため、従来、撮像装置の電源回路を構成する（電源ラインに接続されている）電子部品のいわゆる鳴き現象を目立たなくし、撮像装置の音声記録（音声録音）時におけるノイズの低減が要望されている。
【００３９】
本発明の目的は、撮像装置の動画撮影における音声記録時のノイズの低減を可能とした信号処理装置、撮像装置、及び制御方法を提供することにある。
【課題を解決するための手段】
【００４０】
上述の目的を達成するために、本発明は、撮像手段により撮像される映像信号と共に記録される音声信号に対してフィルタにより帯域制限を施しアナログデジタル変換して記録する信号処理装置において、前記撮像手段により撮像された映像信号の水平ラインの周期を設定する設定手段と、前記撮像手段による撮像に伴う音声記録を行う際において、前記設定手段により、前記フレーム信号を構成するフィールド信号の少なくとも１つの水平ライン周期をフィールド単位で他のフィールド信号の水平ライン周期と異なる設定にする際に、水平ライン周期（１以上の整数Ｎ）毎に水平駆動周波数を変更し、各々の水平駆動周波数の差が前記フィルタ特性のカットオフ周波数よりも低くなるよう制御する制御手段と、を備えることを特徴とする。
【発明の効果】
【００４１】
本発明によれば、水平ライン周期をフィールド単位で他のフィールド信号の水平ライン周期と異なる設定にする際に、水平ライン周期毎に水平駆動周波数を変更し、各々の水平駆動周波数の差がフィルタ特性のカットオフ周波数よりも低くする。これにより、撮像装置の電源ラインに接続されている電子部品の電流の流入／流出の周波数を時間領域において分散可能となる。これに伴い、単一周波数での駆動電流に比べて周波数方向で電流が分散し、電流負荷変動の周波数分散が実現可能となる。その結果、電子部品のいわゆる鳴き現象を目立たなくし、撮像装置の動画撮影における音声記録時のノイズの低減が可能となり、良好な音声録音を行うことが可能となる。
【発明を実施するための最良の形態】
【００４２】
以下、本発明の実施の形態を図面に基づいて説明する。
【００４３】
［第１の実施の形態］
まず、本発明の第１の実施の形態では撮像装置の全体構成と撮影基本処理を図１乃至図４に基づき説明した後、本発明の特徴的な動作を図５に基づき詳細に説明する。
【００４４】
図１は、本実施の形態に係る撮像装置の全体構成を示すブロック図である。
【００４５】
図１において、撮像装置は、システム制御回路５０が有する機能（後述）以外は公知の構成であり、各構成要素については適宜説明を省略または簡略化する。レンズ３１０に入射した光線は、絞り３１２、シャッタ１２を介し光学像として撮像部１４に結像される。撮像部１４は、ＣＣＤ型撮像素子を含む。Ａ／Ｄ変換器１６は、撮像部１４の出力信号をアナログデジタル変換する。タイミング発生回路１８は、撮像部１４、 Ａ／Ｄ変換器１６、 Ｄ／Ａ変換器２６にクロック信号や制御信号を供給する。１５はアナログ撮像信号領域である。
【００４６】
画像処理回路２０は、 Ａ／Ｄ変換器１６或いはメモリ制御回路２２からのデータに画素補間処理や色変換処理を行い、また、撮像した画像データを用いて演算処理を行う。システム制御回路５０は、演算結果に基づき露光制御部４０、測距制御部４２の制御を行う。メモリ制御回路２２は、Ａ／Ｄ変換器１６、タイミング発生回路１８、メモリ３０等を制御する。
【００４７】
画像表示メモリ２４は、表示用の画像データを記憶する。画像表示部２８は、画像を表示する。メモリ３０は、静止画像データや音声付き動画像データ（音声が付加された動画）を格納する。また、メモリ３０は、システム制御回路５０の作業領域としても使用される。圧縮・伸長回路３２は、メモリ３０の画像データに圧縮／伸長処理を行い、メモリ３０に書き込む。
【００４８】
シャッタ制御部４０は、測光部４６からの測光情報に基づき、絞り制御部３４０と連携しシャッタ１２の開閉を制御する。測距部４２は、AF（オートフォーカス）処理を行うものであり、被写体の光学像の合焦状態を測定する。測光部４６は、AE（自動露出）処理を行うものであり、被写体の光学像の露出状態を測定する。
【００４９】
システム制御回路５０（設定手段、制御手段）は、撮像装置全体の制御を司る。また、システム制御回路５０は、制御プログラムに基づき後述の各フローチャートに示す処理を実行すると共に、撮像された映像信号の水平ラインの周期の設定、動画撮影の音声記録時のノイズ低減制御等を行うものであり、以下の機能を有する。
【００５０】
システム制御回路５０は、動画撮影時の音声記録を行う際において、フレーム信号を構成するフィールド信号の少なくとも１つの水平ライン周期をフィールド単位で他のフィールド信号の水平ライン周期と異なる設定にする際に、次の制御を行う。１以上の整数Ｎの水平ライン周期毎に水平駆動周波数を変更し、各々の水平駆動周波数の差が、低域阻止フィルタ特性のカットオフ周波数よりも低く、或いは高域阻止フィルタ特性のカットオフ周波数よりも高くなるよう制御する。
【００５１】
また、システム制御回路５０は、動画撮影時の音声記録を行う際において、フレーム信号を構成するフィールド信号の少なくとも１つの水平ライン周期をフィールド単位で他のフィールド信号の水平ライン周期と異なる設定にする際に、次の制御を行う。１以上の整数Ｎの水平ライン周期毎に変更する水平駆動周波数を、低域阻止フィルタ特性のカットオフ周波数よりも低い周波数、或いは高域阻止フィルタ特性のカットオフ周波数よりも高い周波数に設定する。
【００５２】
また、システム制御回路５０は以下の制御を行う。撮像部１４を構成するＣＣＤ型撮像素子における水平ラインの有効画素期間以外の期間の長さを調整することで水平ライン周期を変更する。水平ラインのブランキング期間の長さを調整することで水平ライン周期を変更する。水平ラインの空転送期間の長さを調整することで水平ライン周期を変更する。上述したシステム制御回路５０の機能については各実施の形態の動作説明箇所で詳述する。
【００５３】
メモリ５２は、システム制御回路５０の動作用の定数、変数、制御プログラム等を記憶する。表示部５４は、動作状態やメッセージ等を表示する。不揮発性メモリ５６は、データを電気的に消去・記録可能である。モードダイアル６０は、静止画撮影モードと動画撮影モードの切り替えに用いる。電源スイッチ７２は、撮像装置の電源オン／オフ、レンズユニット、外部ストロボ、記録媒体２００、２１０の電源オン／オフの切り替えに用いる。リアルタイムクロック回路７４は、タイマ機能を実現する。
【００５４】
電源制御部８０は、電池検出回路、ＤＣ−ＤＣコンバータ、通電するブロックを切り替えるスイッチ回路等から構成され、電池の装着の有無等を検出する。更に、電源制御部８０は、検出結果とシステム制御回路５０の指示に基づきＤＣ−ＤＣコンバータを制御し、必要な電圧を必要な期間、記録媒体を含む各部へ供給する。ＤＣ−ＤＣコンバータに実装された電子部品に起因した回路基板の振動に伴う、動画撮影における音声記録時のノイズを低減する制御については後述する。
【００５５】
Ｉ／Ｆ９０、９４は、記録媒体とのインタフェースを司る。コネクタ９２、９６は、記録媒体と接続を行う。検知部９８は、コネクタ９２、９６に対する記録媒体２００、２１０の装着の有無を検知する。アンテナ／アンテナ１１２は、通信部１１０により有線／無線通信で外部装置と接続する。記録媒体２００、２１０は、メモリカードやハードディスク等から構成され、それぞれ、記録部２０２、Ｉ／Ｆ２０４、コネクタ２０６、記録部２１２、Ｉ／Ｆ２１４、コネクタ２１６を備える。
【００５６】
絞り制御部３４０は、測光部４６からの測光情報に基づき、シャッタ制御部４０と連携し絞り３１２を制御する。測距制御部３４２は、撮影レンズ３１０のフォーカシングを制御する。ズーム制御部３４４は、撮影レンズ３１０のズーミングを制御する。レンズシステム制御部３５０は、レンズユニット全体を制御する。
【００５７】
マイク１５５は、音声の録音に用いる。スピーカ１５７は、録音された音声もしくは予め格納された音声を再生する。音声Ａ／Ｄ・Ｄ／Ａ変換部１５９は、マイク１５５から入力された音声を撮像装置に適したレベルと形式にＡ／Ｄ変換して送出し、出力された音声データをＤ／Ａ変換してスピーカ１５７に送出する。音声Ａ／Ｄ・Ｄ／Ａ変換部１５９を含む音声信号処理系（図１０）の詳細は後述する。
【００５８】
図２は、撮像装置の撮影基本処理を示すフローチャートである。
【００５９】
図２において、本処理はシステム制御回路５０がプログラムに基づき実行する。電源投入に伴い撮像装置各部を初期設定する（ステップＳ２０１）。次に、電源スイッチ７２の状態を判定し（ステップＳ２０２）、電源OFFの場合は、電源制御部８０により終了処理を行った後（ステップＳ２０３）、ステップＳ２０２に戻る。電源スイッチ７２が電源ONの場合は、電源８６の残容量や動作情況が撮像装置の動作に問題があるか否かを判断する（ステップＳ２０４）。
【００６０】
問題がある場合は、警告表示を行った後（ステップＳ２０５）、ステップＳ２０２に戻る。問題が無い場合は、記録媒体２００、２１０の装着の有無、記録された画像データの管理情報の取得、その動作状態が画像記録再生動作に問題があるか否かを判断する（ステップＳ２０６）。問題がある場合は、警告表示を行った後（ステップＳ２０５）、ステップＳ２０２に戻る。問題が無い場合は、撮像素子１４の読み出し画素数を電子ファインダ動画として必要なレートに速める等の制御を行う電子ファインダモードに移行する（ステップＳ２０７）。
【００６１】
次に、シャッタスイッチSW1の状態を判断し（ステップＳ２０８）、シャッタスイッチSW1が押されていない場合は、ステップＳ２０２に戻る。シャッタスイッチSW1が押された場合は、更に、モードダイアルスイッチ６０の状態を判断する（ステップＳ２０９）。静止画撮影モードの場合は、動画モードフラグをリセットし（ステップＳ２１０）、動画撮影モードの場合は、動画モードフラグをセットする（ステップＳ２１１）。この後、測距処理、測光処理、ＷＢ（ホワイトバランス）検知を行う（ステップＳ２１２）。
【００６２】
次に、シャッタスイッチSW2の状態を判断し（ステップＳ２１３）、シャッタスイッチSW2が押された場合は、動画モードフラグを確認する（ステップＳ２１４）。フラグがリセット状態の場合は、静止画撮影処理を行い（ステップＳ２１６）、ステップＳ２０２に戻る。フラグがセット状態の場合は、動画撮影処理を行い（ステップＳ２１７）、ステップＳ２０２に戻る。シャッタスイッチSW2が押されていない場合は、シャッタスイッチSW1が放されるまで（ステップＳ２１５）、現在の処理を繰り返す。シャッタスイッチSW1が放されたら、ステップＳ２０２に戻る。
【００６３】
図３は、撮像装置の静止画撮影処理を示すフローチャートである。
【００６４】
図３において、本処理はシステム制御回路５０がプログラムに基づき実行する。撮影条件を設定し、絞り３１２を所定の絞り値まで駆動した後（ステップＳ３０１）、ＣＣＤ駆動モードの設定（ステップＳ３０２）、電子シャッタの設定を行う（ステップＳ３０３）。次に、撮像部１４の露光を開始し（ステップＳ３０４）、シャッタ１２を閉じ（ステップＳ３０５）、撮像部１４の露光を終了する（ステップＳ３０６）。次に、撮像信号の読み出し処理を行い（ステップＳ３０７）、メモリ３０の所定領域に撮影静止画像データを書き込む（ステップＳ３０８）。本処理後、図２の処理に戻る。
【００６５】
図４は、撮像装置の動画撮影処理を示すフローチャートである。
【００６６】
図４において、本処理はシステム制御回路５０がプログラムに基づき実行する。撮影条件を設定し、絞り３１２を所定の絞り値まで駆動した後（ステップＳ４０１）、ＣＣＤ駆動モードの設定（ステップＳ４０２）、電子シャッタの設定を行う（ステップＳ４０３）。次に、撮像信号の読み出し処理を開始する（ステップＳ４０４）。
【００６７】
まず、撮像部１４から電荷信号を読み出し、１水平ライン周期を変更する（ステップＳ４０５）。１水平ライン周期は任意の長さに変更可能である。更に、Ａ／Ｄ変換器１６、画像処理回路２０、メモリ制御回路２２を介して、或いはＡ／Ｄ変換器１６から直接メモリ制御回路２２を介して、メモリ３０の所定領域に動画像データを書き込む（ステップＳ４０６）。
【００６８】
動画記録（ステップＳ４０６）を中止するまではAF処理を継続し、測距（AF）が合焦と判断した場合は、測光部４６によりAE（自動露出）処理を行う（ステップＳ４０７）。測距・測光が適正と判断した場合は、測距・測光データ及び（或いは）設定パラメータを記憶し、感度値（Ｄｖ値）、絞り値（Av値）、シャッタ速度（Tv値）、フォーカスを再設定し（ステップＳ４０８）、動画記録を継続する（ステップＳ４０６）。シャッタスイッチSW2が再度押されるか或いは動画記録終了の操作が行われた場合（ステップＳ４０９）、本処理を終了し、図２の処理に戻る。
【００６９】
次に、上記構成を有する本実施の形態の撮像装置において動画撮影処理中の電流負荷変動の周波数分散を行う制御について図５に基づき説明する。
【００７０】
本実施の形態では、電流負荷変動の周波数分散制御により、撮像装置の電源ラインに接続されている電子部品のいわゆる鳴き現象を目立たなくし、動画撮影における音声記録時のノイズの低減を可能とし良好な音声録音を可能とする。
【００７１】
上記図１に示した撮像装置の主要部（アナログ撮像信号領域１５（撮像部１４、Ａ／Ｄ変換器１６を含む）、タイミング発生回路１８、システム制御回路５０）は、従来例（図１１）に示した機能と同様の機能を有する。即ち、同期信号発生回路２００７、発振回路２００８と同様の機能は、システム制御回路５０に内蔵されている。発振回路２００５と同様の機能は、タイミング発生回路１８に内蔵されている。
【００７２】
また、従来例（図１１）に示したデジタル信号処理部２００４と同様の機能は、図１では単一のブロックに内蔵されているものではなく、画像処理部２０、メモリ制御部２２、画像表示メモリ２４等に分割して内蔵されている。
【００７３】
図５は、撮像装置の動画撮影処理の１水平ライン周期変更（図４のステップＳ４０５）の詳細を示すタイミング図である。
【００７４】
図５において、ＣＣＤ型撮像素子の場合、撮像信号（映像信号）の水平ライン周期を構成する画素クロック数は、ブランキング期間と、駆動されている画素読み出し期間とに大別される。ブランキング期間は、タイミング発生回路１８から出力される水平ＣＣＤ転送用の駆動パルス（Ｈ１、Ｈ２）が停止している期間である。画素読み出し期間は、ＯＢ（光学的に遮光された）画素期間＋有効画素期間である。
【００７５】
本実施の形態では、図５に示すように１水平ライン毎に水平ラインの周期を変更し、画素読み出し期間に影響を与えずに、水平ブランキング期間の長さを調整する方法を利用している。つまり、基準となる１水平ライン期間の周期を(tHD1=tIMG+tBLK1)とした場合、(tBLK2=tBLK1+Δt)とすることで、画素読み出し期間には影響を与えずに１水平ライン期間の長さを変化させることができる。
【００７６】
具体的な動作としては、上記図４の撮像信号読み出し処理（ステップＳ４０４）において、システム制御回路５０からタイミング発生回路１８に対し、（tBLK2=tBLK1+Δt）に対応する水平ブランキングのアクティブ期間を設定する。タイミング発生回路１８は、設定された水平ブランキングのアクティブ期間情報（ＰＢＬＫ）を受けて、水平ブランキング期間の終了部分のタイミング変更に連動する。タイミング発生回路１８は、撮像部１４内のＣＣＤ素子やアナログ信号処理回路及びＡ／Ｄ変換器１６に供給している全ての水平系タイミング信号の駆動開始タイミングを相対的に変更する機能を有する。
【００７７】
図５で一例を示すと、ＯＢ（光学的に遮光された）画素レベルを撮像信号の黒基準値となるように直流電圧レベルの調整を行うために、ＯＢ画素期間を指し示すクランプパルス（ＣＬＰＯＢ）もＰＢＬＫの伸張に連動してタイミング位置が変更される。
【００７８】
水平ブランキング期間を変更することで１水平ライン期間の長さを変化できるため、１水平ライン期間毎のＨ１、Ｈ２及び垂直転送パルスが出力される周期を変えることができる。これに伴い、タイミング発生回路１８の電流負荷の周期が変わる。
【００７９】
つまり、上述したように、タイミング発生回路１８からＨ１、Ｈ２が出力されている期間は１００mA程度の電流負荷が発生し、Ｈ１、Ｈ２が出力されていないブランキング期間は電流負荷がゼロとなる。１水平パルスのブランキング期間が変わることで、Ｈ１、Ｈ２により発生する電流負荷と、垂直転送パルスにより発生する電流負荷の発生周期が変わり、電流負荷変動の周波数分散を実現することができる。
【００８０】
例えば、Δt=(tHD1)/2とすると、tHD2=tIMG+tBLK1+(tHD1)/2=1.5*tHD1となる。これにより、tHD2を１水平ライン期間（tHD1）の１．５倍の長さにすることができ、電流負荷の周期も１．５倍となる。１水平ライン期間毎にΔtを任意の時間に変えることで、電流負荷変動の周波数分散を実現することができる。
【００８１】
尚、本実施の形態では、フィールド信号毎の水平ライン周期の変更に伴い、画素読み出し期間に影響を与えずに水平ブランキング期間の長さを調整する方法を利用した。この方法の場合、水平ブランキング期間の終わりのタイミング変更に連動して、撮像部１４内のＣＣＤ素子やアナログ信号処理回路及びＡ／Ｄ変換器１６に供給している全ての水平系タイミング信号の駆動開始タイミングを変更する必要がある。そのための機能をタイミング発生回路１８に持たせたが、タイミング発生回路１８がこのような機能を持たない場合も想定される。
【００８２】
関連する全ての水平系タイミング信号に対してタイミング発生回路１８がプログラマブルにタイミング変更可能なものであれば、直前の垂直ブランキング中に一斉にタイミング変更することも不可能ではない。この場合は、それだけシステム制御回路５０のタスクが重くなる。また、固定タイミングで変更が不可能或いは変更の設定を行ってもすぐには変更の効かないタイミング信号があると、この方法ではフィールド信号毎の水平ライン周期の変更は不可能である。
【００８３】
以上説明したように、本実施の形態によれば、動画撮影時の音声記録を行う際、フレーム信号を構成するフィールド信号の少なくとも１つの水平ライン周期をフィールド単位で他のフィールド信号の水平ライン周期と異なる設定にする際に、次の制御を行う。１以上の整数Ｎの水平ライン周期毎に水平駆動周波数を変更する等の制御を行う。
【００８４】
これにより、撮像装置の電源ラインに接続されている電子部品（デカップリングコンデンサ、カップリングインダクタ）の電流の流入／流出の周波数を時間領域において分散することが可能となる。これに伴い、電流／電圧の蓄積放出周波数が時間毎に変化することになるため、単一周波数での駆動電流に比べて周波数方向で電流が分散し、電流負荷変動の周波数分散を実現することができる。
【００８５】
その結果、撮像装置の電源ラインに接続されている電子部品のいわゆる鳴き現象を目立たなくし、撮像装置の動画撮影における音声記録時のノイズの低減が可能となり、良好な音声録音を行うことが可能となる。
【００８６】
［第２の実施の形態］
本発明の第２の実施の形態は、上記第１の実施の形態に対して、下記で説明する点において相違する。本実施の形態のその他の要素は、上記第１の実施の形態（図１）の対応するものと同一なので説明を省略する。
【００８７】
本実施の形態では、下記で説明する制御により、撮像装置の電源ラインに接続されている電子部品のいわゆる鳴き現象を目立たなくし、動画撮影における音声記録時のノイズの低減を可能とし良好な音声録音を可能とする。
【００８８】
本実施の形態は、撮像装置のタイミング発生回路１８に対して、フィールド信号毎の水平ライン周期を変更する設定を上記第１の実施の形態とは別の方法で行うものである。
【００８９】
ＣＣＤ型撮像素子の場合、撮像信号（映像信号）の水平ライン周期を構成する画素クロック数は、ブランキング期間と、駆動されている画素読み出し期間とに大別されることは既に説明した。ただし、ブランキング期間：水平ＣＣＤ転送用の駆動パルス（Ｈ１、Ｈ２）が停止している期間。画素読み出し期間：ＯＢ画素期間＋有効画素期間。
【００９０】
本実施の形態では、ブランキング期間はそのまま変更せずに、画素読み出し期間（ＯＢ画素期間＋有効画素期間）の末尾に水平ＣＣＤの空転送期間を追加することで、水平ラインの周期を変更する。 水平ＣＣＤの空転送とは次の状態をいう。受光画素部で露光し蓄積された電荷が水平ＣＣＤ部に読み出され水平ＣＣＤ部から転送されて全て読み出された後、更に水平ＣＣＤ部に対し水平ＣＣＤ転送用の駆動パルス（Ｈ１、Ｈ２）を送り続けた場合の蓄積電荷がない空読み状態のことである。
【００９１】
図６は、本実施の形態に係る撮像装置のフィールド信号毎の水平ＣＣＤ空転送期間の長さ調整による水平ライン周期の変更を示すタイミング図である。
【００９２】
図６において、１水平ラインの有効画素期間の最後に余分に空転送期間を設け、１水平ラインの空転送期間の画素クロック数を（Δtx）とする。次の１水平ラインの空転送期間の画素クロック数を、上記１水平ラインの空転送期間の画素クロック数Δtxにｎクロック分だけ足して（Δtx＋ｎ）と変更する。
【００９３】
具体的な動作としては、上記図４に示した撮像信号読み出し処理（ステップＳ４０４）において以下の２つの設定を行う。即ち、システム制御回路５０からタイミング発生回路１８に対して、水平同期信号ＨＤに対応する水平ＣＣＤ転送用の駆動パルス（Ｈ１、Ｈ２）を次のＨＤ入力まで持続させる設定を行う。また、次の水平同期信号ＨＤ入力で、撮像部１４内のＣＣＤ素子やアナログ信号処理回路及びＡ／Ｄ変換器１６に供給している全ての水平系タイミング信号の駆動開始タイミングをリセットする設定を行う。
【００９４】
これにより、上記第１の実施の形態で示したようなＯＢ画素期間を指し示すクランプパルス（ＣＬＰＯＢ）のタイミングなども、フィールド毎のタイミングを変更することが不要となる。
【００９５】
また、上記フィールド信号毎の水平ＣＣＤ空転送期間の長さ調整は、水平ＣＣＤの有効画素期間が終了した後の部分での期間調整であり、有効画素期間の途中での電荷転送中止ではない。従って、水平ＣＣＤの転送残留電荷によって次のフィールド信号を読み出す時に悪影響が生じる心配もない。また、撮像装置の表示部に表示対象とする本来の画像に対しても何ら影響を与えることがない。
【００９６】
本実施の形態は、１水平ライン期間を変更することに関しては上記第１の実施の形態と同じであるが、タイミング発生回路１８の電流負荷の発生期間は上記第１の実施の形態と異なる。ただし、垂直転送パルスにより発生する電流負荷の発生期間は上記第１の実施の形態と同じである。
【００９７】
つまり、１水平ラインの空転送期間の画素クロック数を（Δtx）或いは（Δtx＋ｎ）とすることで、水平ＣＣＤ転送用の駆動パルス（Ｈ１、Ｈ２）の負荷電流の発生する期間が長くなる。ブランキング期間の長さは同じであるが、Ｈ１、Ｈ２の負荷電流の発生する期間が変わるため、１水平ライン期間毎の周期が変わり、電流負荷周期を分散することができる。
【００９８】
以上説明したように、本実施の形態によれば、撮像装置の電源ラインに接続されている電子部品のいわゆる鳴き現象を目立たなくし、撮像装置の動画撮影における音声記録時のノイズの低減が可能となり、良好な音声録音を行うことが可能となる。
【００９９】
［第３の実施の形態］
本発明の第３の実施の形態は、上記第１の実施の形態に対して、下記で説明する点において相違する。本実施の形態のその他の要素は、上記第１の実施の形態（図１）の対応するものと同一なので説明を省略する。
【０１００】
本実施の形態では、下記で説明する制御により、撮像装置の電源ラインに接続されている電子部品のいわゆる鳴き現象を目立たなくし、動画撮影における音声記録時のノイズの低減を可能とし良好な音声録音を可能とする。
【０１０１】
図７は、本実施の形態に係る撮像装置の静止画記録処理と音声付き動画記録処理を示すフローチャートである。
【０１０２】
図７において、撮像装置で音声を記録しながら画像を記録するのは一般的に動画撮影の場合であり、静止画撮影の場合は説明済みであるため動画撮影について説明する。操作者による撮像装置の電源投入に伴い（ステップＳ７０１）、システム制御回路５０は、撮像装置の初期化及び各部への電源供給を含む撮影準備に移行する（ステップＳ７０２）。システム制御回路５０は、撮影準備ができた状態でＣＣＤの水平駆動周波数の初期値の設定等を行う（ステップＳ７０３）。電源投入のタイミングでは通常操作者からの撮影指示がないため、撮影画像の確認モードとなっている。
【０１０３】
一般的に撮像装置のレリーズスイッチ、シャッタスイッチSW１、シャッタスイッチSW2等の操作をトリガとして撮影が開始される。そのため、電源投入の後、予め定められた撮影確認のための画像を電子ビューファインダ等の表示部に表示するため上記撮影準備を行う。この後、ＣＣＤを含む撮像装置の初期化を行う。これにより、操作者が認識できるように撮影準備が行われたことになる。
【０１０４】
操作者による撮影モードの選択に伴い、システム制御回路５０は、撮影モードが静止画記録であるか動画記録であるかを判断する（ステップＳ７０４）。撮影モードが静止画撮影による静止画記録の場合はステップＳ３０１以降の処理を行い、撮影モードが動画撮影による動画記録の場合はステップＳ７０５以降の処理を行う。尚、撮影準備のための被写体を撮像装置の表示部に表示しながら動画撮影を行う際も、上記動画撮影と同様の処理を行うことになる。
【０１０５】
撮影モードが動画記録の場合、システム制御回路５０は、撮影条件を設定する（ステップＳ７０５）。具体的には撮影条件として撮影画像サイズや記録対象動画のフレームレート等を設定する。システム制御回路５０は、設定した撮影条件に基づいて撮像装置の駆動方法を決定し、上記初期値に設定したＣＣＤの水平駆動周波数を予め定められた水平駆動周波数に変更する。
【０１０６】
例えば、１水平駆動周波数毎に、１つ目の水平区間の時間をtとし、２つ目の水平区間の時間を２tとし、３つ目の水平区間の時間をtとした場合の周期の繰り返しを設定する。尚、本実施の形態では、各水平区間の時間をt、２t、t・・・と設定しているが、各水平区間の時間設定は任意に変更可能である。各水平区間の時間設定に合致するように以下の設定を行う。
【０１０７】
まず、システム制御回路５０は、タイミング発生回路１８により撮像部１４に対して第１フィールド信号を読み出すための設定を行う（ステップＳ７０７）。次に、システム制御回路５０は、内蔵した同期信号発生部からタイミング発生回路１８に供給する水平及び垂直同期信号の周期を設定すると共に供給を開始する（ステップＳ７０８）。
【０１０８】
システム制御回路５０は、タイミング発生回路１８により、上記水平及び垂直同期信号に同期して撮像部１４から第１フィールド信号の読み出しを開始し実行する（ステップＳ７０９）。システム制御回路５０は、撮像部１４から読み出された動画データと、マイク１５５から入力され音声Ａ／Ｄ・Ｄ／Ａ変換部１５９によりアナログデジタル変換（Ａ／Ｄ変換）された音声データとをメモリ３０に記録する。上記一連の処理を終了すると図２の処理に戻る。
【０１０９】
上記のように、音声付き動画撮影及び記録を行う際に１水平駆動周波数毎に周波数を変化させて撮像装置を駆動することで、音声ノイズ周波数を分散させることができる。音声ノイズ周波数を分散し低減する様子を下記の図８に示す。
【０１１０】
上記従来例（図１５）で説明したように、撮像装置の電源回路であるＤＣ−ＤＣコンバータに実装されたコンデンサの電歪現象に起因した主に消費電流パターンによる振動が、撮像装置に搭載された回路基板に励起される。
【０１１１】
図８は、本実施の形態に係る撮像装置の音声記録時（音声録音時）の周波数特性を示す図である。
【０１１２】
図８において、縦軸は音圧［ｄＢ］を示し、横軸は周波数［Ｈｚ］を示す。１５０１は、音声を録音する時の周波数を示す音声録音帯域である。１５０２は、音声をアナログデジタル変換（Ａ／Ｄ変換）する際のナイキスト周波数である。１５０３は、音声を録音する際の音声サンプリング周波数である。１５０４は、消費電流パターンにより回路基板が振動し発生する音声ノイズの周波数である。９０２は、上記第２の実施の形態の手法で水平駆動周波数をシフトさせた撮像装置の水平駆動周波数である。
【０１１３】
消費電流パターンの負荷が増える周期によりコンデンサの電圧が変化し、電歪現象が撮像装置の水平駆動周波数により発生するため、音声ノイズ周波数１５０４は撮像装置の水平駆動周波数となっている。例えば、音声サンプリング周波数１５０３が１０ＫＨｚに設定され、音声ノイズ周波数１５０４が発生している場合、１水平ライン周期毎に水平駆動周波数を変更した場合、音声の周波数スペクトルが全体の時間で重み付けされた場合を想定する。音声ノイズ周波数１５０４は、音声ノイズ周波数（水平駆動周波数）９０２と、抑制された音声ノイズ周波数９０３とに分散されるため、全体のエネルギは半分に抑制される。
【０１１４】
元の音声に対するノイズの全てのノイズエネルギはそのままであるが、音声ノイズ周波数は分散されることになり、人間に対する聞こえ方としてノイズを低減することができる。シフトされた音声ノイズ周波数９０２も同様に時間的に重み付けされたエネルギは半分になり、周波数のピークを低減することができる。これにより、動画撮影の音声記録時において特にピークがノイズとして顕著に録音されることで生じる音声ノイズを低減することができる。
【０１１５】
以上説明したように、本実施の形態によれば、撮像装置の電源ラインに接続されている電子部品のいわゆる鳴き現象を目立たなくし、撮像装置の動画撮影における音声記録時のノイズの低減が可能となり、良好な音声録音を行うことが可能となる。
【０１１６】
［第４の実施の形態］
本発明の第４の実施の形態は、上記第１の実施の形態に対して、下記で説明する点において相違する。本実施の形態のその他の要素は、上記第１の実施の形態（図１）の対応するものと同一なので説明を省略する。
【０１１７】
本実施の形態では、下記で説明する制御により、撮像装置の電源ラインに接続されている電子部品のいわゆる鳴き現象を目立たなくし、動画撮影における音声記録時のノイズの低減を可能とし良好な音声録音を可能とする。
【０１１８】
図９は、本実施の形態に係る撮像装置の音声記録時（音声録音時）の周波数特性を示す図であり、（ａ）は、減衰特性を加味する前の周波数特性、（ｂ）は、減衰特性を加味した後の周波数特性である。
【０１１９】
図９において、縦軸は音圧［ｄＢ］を示し、横軸は周波数［Ｈｚ］を示す。１５０１は、音声を録音する時の周波数を示す音声録音帯域である。１５０２は、音声をアナログデジタル変換（Ａ／Ｄ変換）する際のナイキスト周波数である。１５０３は、音声を録音する際のサンプリング周波数である。１５０４は、消費電流パターンにより回路基板が振動し発生する音声ノイズの周波数である。
【０１２０】
消費電流パターンの負荷が増える周期によりコンデンサの電圧が変化し、電歪現象が撮像装置の水平駆動周波数により発生するため、音声ノイズ周波数１５０４は撮像装置の水平駆動周波数となっている。１６０１は、音声ノイズ周波数９０２にフィルタ減衰特性を重畳した音声ノイズ周波数である。１６０３は、Ａ／Ｄ変換する前に掛けられるフィルタ周波数特性である。１６０４は、音声ノイズ周波数９０２でのフィルタ特性による減衰量である。
【０１２１】
即ち、図９（ａ）では、音声ノイズ周波数（水平駆動周波数）９０２と、音声ノイズ周波数１５０４とに分散されている様子を示している。図９（ｂ）では、抑制された音声ノイズ周波数９０３と、音声ノイズ周波数９０２にフィルタ減衰特性を重畳した音声ノイズ周波数１６０１とに分散されている様子を示している。
【０１２２】
図１０は、撮像装置の音声信号処理系の構成を示すブロック図である。
【０１２３】
図１０において、マイクアンプ１７０１は、マイク１５５から入力された音声信号を後段に適したレベルにする。フィルタ１７０３は、マイクアンプ１７０１から送出された音声信号に帯域制限を施し、後段のＡ／Ｄ変換に適した特性に変換する。音声Ａ／Ｄ・Ｄ／Ａ変換部１５９のＡ／Ｄ変換部１７０５は、音声信号をアナログデジタル変換（Ａ／Ｄ変換）し、システム制御回路５０が処理しやすい形式に変換する。
【０１２４】
音声Ａ／Ｄ・Ｄ／Ａ変換部１５９のＤ／Ａ変換部１７１１は、システム制御回路５０から送出される音声信号をデジタルアナログ（Ｄ／Ａ変換）する。フィルタ１７０９は、Ｄ／Ａ変換された音声信号にフィルタ特性を施す。出力アンプ１７０７は、スピーカ１５７から音声信号を発音するために適したレベルに変換する。
【０１２５】
マイク１５５から入力された音声信号は、マイクアンプ１７０１、フィルタ１７０３、Ａ／Ｄ変換部１７０５を介してシステム制御回路５０に入力される。音声ノイズ周波数１５０４（図９）を持つ信号が発生している場合、システム制御回路５０の制御により周波数を周期毎に分散する。即ち、音声ノイズ周波数１５０４を低減分散させ、音声ノイズ周波数９０３と音声ノイズ周波数９０２のレベルに分散させる。この際に、フィルタ１７０３が、システム制御回路５０により予め決定された周波数特性を基に、音声ノイズ周波数９０２を周波数領域においてレベル変換する。
【０１２６】
システム制御回路５０は、上記周波数特性とＡ／Ｄ変換部１７０５のサンプリング周波数を決定する。サンプリング周波数は、操作者が撮像装置の操作部から変更可能であり、予め定め得られた周波数を選択する。選択された周波数と同時に音声記録時の状態によってもフィルタ１７０３の周波数特性を変更可能である。一般的には風きりフィルタと呼ばれる低域阻止フィルタなどが頻繁に用いられる。
【０１２７】
例えば、システム制御回路５０によりフィルタ１７０３が低域阻止フィルタの構成に設定されている場合で、フィルタ周波数特性１６０３の場合を想定する。シフトされた音声ノイズ周波数９０２は、フィルタ特性による減衰量１６０４により、音声ノイズ周波数１６０１のように抑圧される。このように、予め定められたフィルタ特性のカットオフ周波数の減衰領域に撮像装置の水平駆動周波数を変化させて音声ノイズ周波数を移動させることで、分散させた音声ノイズを更に抑圧することが可能となる。
【０１２８】
尚、上記フィルタ１７０３をＡ／Ｄ変換部１７０５の後段にデジタルフィルタとして配置する構成としてもよい。また、フィルタ１７０３を低域阻止フィルタとして構成したが、高域阻止フィルタ或いは帯域通過フィルタとして構成してもよい。この場合は、周波数を減衰する特性の周波数領域に周波数分散してノイズ低減を図ってもよい。勿論、周波数の減衰特性には、信号全体にゲインを持っている場合は相対的な減衰という意味も含まれる。
【０１２９】
撮像装置の負荷変動に伴う電源回路の電子部品（コンデンサ）に起因した振動が回路基板に伝達され発生する音声ノイズを、本実施の形態の上記制御により効果的に減衰させることが可能となる。また、音声ノイズ低減を、コストをかけることなく安価に実現することが可能となる。
【０１３０】
以上説明したように、本実施の形態によれば、撮像装置の電源ラインに接続されている電子部品のいわゆる鳴き現象を目立たなくし、撮像装置の動画撮影における音声記録時のノイズの低減が可能となり、良好な音声録音を行うことが可能となる。
【０１３１】
［他の実施の形態］
上記各実施の形態では、撮像装置の種類については言及しなかったが、本発明は、デジタルカメラ、デジタルビデオカメラのいずれにも適用することが可能である。
【図面の簡単な説明】
【０１３２】
【図１】本発明の第１の実施の形態に係る撮像装置の全体構成を示すブロック図である。
【図２】撮像装置の撮影基本処理を示すフローチャートである。
【図３】撮像装置の静止画撮影処理を示すフローチャートである。
【図４】撮像装置の動画撮影処理を示すフローチャートである。
【図５】撮像装置の動画撮影処理の１水平ライン周期変更の詳細を示すタイミング図である。
【図６】本発明の第２の実施の形態に係る撮像装置のフィールド信号毎の水平ＣＣＤ空転送期間の長さ調整による水平ライン周期の変更を示すタイミング図である。
【図７】本発明の第３の実施の形態に係る撮像装置の静止画記録処理と音声付き動画記録処理を示すフローチャートである。
【図８】撮像装置の音声記録時の周波数特性を示す図である。
【図９】本発明の第３の実施の形態に係る撮像装置の音声記録時の周波数特性を示す図であり、（ａ）は、減衰特性を加味する前の周波数特性、（ｂ）は、減衰特性を加味した後の周波数特性である。
【図１０】撮像装置の音声信号処理系の構成を示すブロック図である。
【図１１】従来例に係る撮像装置の撮像部の概略構成を示すブロック図である。
【図１２】撮像部の撮像回路の詳細構成を示すブロック図である。
【図１３】撮像部の主要な信号を示すタイミング図である。
【図１４】１水平ライン周期を構成する画素クロック数の大まかな内訳を示すタイミング図である。
【図１５】撮像装置と電源供給系を示すブロック図である。
【図１６】音声記録時の周波数特性を示す図である。
【符号の説明】
【０１３３】
１４  撮像部
３０  メモリ
５０  システム制御回路
１５５  マイク
１５７  スピーカ
１５９  音声Ａ／Ｄ・Ｄ／Ａ変換部
１７０１  マイクアンプ
１７０３  フィルタ
１７０５  Ａ／Ｄ変換部
１７０７  出力アンプ
１７０９  フィルタ
１７１１  Ｄ／Ａ変換部
【図１】
0004845823.tif 000002
【図２】
0004845823.tif 000003
【図３】
0004845823.tif 000004
【図４】
0004845823.tif 000005
【図５】
0004845823.tif 000006
【図６】
0004845823.tif 000007
【図７】
0004845823.tif 000008
【図８】
0004845823.tif 000009
【図９】
0004845823.tif 000010
【図１０】
0004845823.tif 000011
【図１１】
0004845823.tif 000012
【図１２】
0004845823.tif 000013
【図１３】
0004845823.tif 000014
【図１４】
0004845823.tif 000015
【図１５】
0004845823.tif 000016
【図１６】
0004845823.tif 000017